(57)【要約】【課題】  本考案は、家屋内の建具に過度の摩擦を生じることなく滑り止めを施し、安全に建具を利用できる表面加工による滑り止めを提供することを目的とする。【解決手段】  本考案の表面加工による滑り止めは、家屋内において、加工された木材、例えば段差スロープ、階段、踏み台、手摺り等の表面に数mm露出するように所定幅、所定長さで人工芝を埋設したものである。段差スロープ１は、敷居の高さに相当する高さで、敷居方向に沿った垂直面３と、前記垂直面３頂部から床板へ敷居から遠ざかる方向へ傾斜した傾斜面４と、前記垂直面３と前記傾斜面４とを連結する水平面５とからなる断面垂直三角形をなし、前記傾斜面４表面には敷居方向に沿った溝６を複数個設け、該溝６に人工芝２を挿入したものである。【選択図】  図１
0003113335.tif 000002
【実用新案登録請求の範囲】
【請求項１】
家屋内の、敷居の高さに相当する高さで、敷居方向に沿った垂直面と、前記垂直面頂部から床板へ敷居から遠ざかる方向へ緩やかに傾斜した傾斜面と、前記垂直面と前記傾斜面とを連結する水平面とからなる断面垂直三角形をなした段差スロープにおいて、前記傾斜面には敷居方向に平行に沿った所定幅、所定長さで細長溝を複数個設け、該細長溝に前記傾斜面表面に数mm露出するように人工芝を埋設したことを特徴とする表面加工による滑り止め。
【請求項２】
家屋内の、上下２段の踏み板を備えたボックス状又は階段状をなした踏み台において、前記踏み板には左右方向に平行に沿った所定幅、所定長さで細長溝を複数個設け、該細長溝に前記踏み板表面に数mm露出するように人工芝を埋設したことを特徴とする表面加工による滑り止め。
【請求項３】
家屋内の、長尺の円棒状をなした手摺りおいて、該手摺りの円周面に軸線方向に沿ってほぼ真横か少し上に所定幅、所定長さで細長溝を１個又は２個形成し、該細長溝に前記手摺り表面に数mm露出するように人工芝を埋設したことを特徴とする表面加工による滑り止め。
【考案の詳細な説明】
【技術分野】
【０００１】
本考案は、家屋内の加工された木材、例えば階段スロープ、踏み台、手摺り等に利用される、表面加工による滑り止めに関する。
【背景技術】
【０００２】
近年、老人の人口比が増してきており、家屋内でも老人向けの建具も開発されつつある。
例えば、老人や足の不自由な人の歩行の利便のために廊下や浴室に手摺りを設けたり、バリアフリーと称して、敷居などの段差がある個所に段差スロープを設けたりして、老人や足の不自由な人が歩行時に転倒しないようにしている。
また、段差スロープの傾斜面が滑り易いことから、傾斜面に凹凸やゴムなどのすべり止めを施したりする公知技術として、特許文献１がある。
前記公知技術は、図５に示すように、斜面１を有し、該斜面１にはすべり止め２が設けられ、裏面に粘着剤を付着させる場所３を有する斜台であって、家屋内の敷居にかけて、床に接着固定することにより、斜面１に沿って上り下りすれば安心して敷居を越えることが出来るものである。
しかし、前記すべり止め２は斜面１に凹凸やゴムなどを施したりしているため、逆に子供にとってはこのすべり止めに引掛かって転んでケガをする場合も生じているし、また一般の手摺り等もすべり易いものであった。
【特許文献１】特開平９−１８９１１７号公報
【考案の開示】
【考案が解決しようとする課題】
【０００３】
そこで、本考案は、家屋内の建具に過度の摩擦を生じることなく滑り止めを施し、安全に建具を利用できる表面加工による滑り止めを提供することを目的とする。
【課題を解決するための手段】
【０００４】
本考案の表面加工による滑り止めは、家屋内の、敷居の高さに相当する高さで、敷居方向に沿った垂直面と、前記垂直面頂部から床板へ敷居から遠ざかる方向へ緩やかに傾斜した傾斜面と、前記垂直面と前記傾斜面とを連結する水平面とからなる断面垂直三角形をなした段差スロープにおいて、前記傾斜面には敷居方向に平行に沿った所定幅、所定長さで細長溝を複数個設け、該細長溝に前記傾斜面表面に数mm露出するように人工芝を埋設したものである。
また、家屋内の、上下２段の踏み板を備えたボックス状又は階段状をなした踏み台において、前記踏み板には左右方向に平行に沿った所定幅、所定長さで細長溝を複数個設け、該細長溝に前記踏み板表面に数mm露出するように人工芝を埋設したものである。
また、家屋内の、長尺の円棒状をなした手摺りおいて、該手摺りの円周面に軸線方向に沿ってほぼ真横か少し上に所定幅、所定長さで細長溝を１個又は２個形成し、該細長溝に前記手摺り表面に数mm露出するように人工芝を埋設したものである。
【考案の効果】
【０００５】
以上述べた如く、本考案の表面加工による滑り止めは、家屋内において、加工された木材、例えば段差スロープ、階段、踏み台、手摺り等の表面に数mm露出するように所定幅、所定長さで人工芝を埋設したものであるため、手や足に触れたときの違和感がなく、かつ過度の摩擦抵抗もなく滑り止めとして利用することが出来る。
また、人工芝であるため、雑巾等で清掃する際にも凹凸やゴムの抵抗感などなく綺麗に加工された木材の表面を拭くことが出来る。
【考案を実施するための最良の形態】
【０００６】
本考案の表面加工による滑り止めは、家屋内において、加工された木材、例えば段差スロープ、階段、踏み台、手摺り等の表面に数mm露出するように所定幅、所定長さで人工芝を埋設したものである。
【実施例】
【０００７】
以下、本考案の実施例を図面に基づいて説明する。
第一実施例として、段差スロープ１に人工芝２を形成した場合について、図１、２に基づいて説明する。
段差スロープ１は、図１に示すように、敷居の高さに相当する高さで、敷居方向に沿った垂直面３と、前記垂直面３頂部から床板へ敷居から遠ざかる方向へ傾斜した傾斜面４と、前記垂直面３と前記傾斜面４とを連結する水平面５とからなる断面垂直三角形をなし、前記傾斜面４表面には敷居方向に沿った溝６を複数個設け、該溝６に人工芝２を挿入したものである。
前記溝６の深さは、前記人工芝２を埋設した時に、人工芝２の先端が傾斜面４の表面から数mm露出するように形成する。
また、段差スロープ１の移動を防止するために水平面５下部に接着面（図示せず）、例えば粘着剤を塗布したり、両面接着テープを貼ったりすることもできる。
【０００８】
図２に示すように、床板７と敷居８とのに段差があった場合には、垂直面３を敷居８に接するように配置し、敷居８の両側に水平面５下部の接着面により床板７に固定する。
そして、床板７と敷居８とは傾斜面４で緩やかに連結されるので、床板７と敷居８との段差に躓いて転倒するようなことがなく、また傾斜面４の表面には人工芝２が数mm露出しているので傾斜面４を上り下りする時の滑り止め作用をする。
すなわち、人工芝２は、上から踏まれると足形状に押し潰されて変形し、変形部分が摩擦抵抗となって滑り止めとなり、また足を引きずった場合には人工芝２が横倒しになり摩擦抵抗とはならず人工芝２に引掛かって転ぶことはない。
【０００９】
第二実施例として、踏み台９に人工芝２を形成した場合について、図３に基づいて説明する。
踏み台９は、図３に示すように、上下２段の踏み板１０を備えたボックス状又は階段状をなし、前記踏み板１０表面には左右方向に沿った溝６を複数個設け、該溝６に人工芝２を挿入したものである。
前記溝６の深さは、前述と同様に、前記人工芝２を埋設した時に、人工芝２の先端が踏み板１０の表面から数mm露出するように形成する。
そして、人工芝２は、上から踏まれると足形状に押し潰されて変形し、変形部分が摩擦抵抗となって滑り止めとなる。
なお、踏み台９で説明したが、２階建ての昇降階段のステップであっても同様に人工芝を使用することが出来る。
【００１０】
第三実施例として、手摺り１１に人工芝２を形成した場合について、図４(a)(b)に基づいて説明する。
図４(a)は手摺り１１を手摺り立て子１２で横方向から支持する場合の横断面図であり、図４(b)は手摺り１１を手摺り立て子１２で下方向から支持する場合の横断面図である。
手摺り１１は、長尺の円棒状をなし、図４(a)(b)に示すように床面１３から立ち上げたり、側壁面に取り付けたりして使用される。
手摺り１１の円周面に軸線方向に沿って溝６を１個又は２個形成し、該溝６に人工芝２を挿入する。
前記溝６の深さは、前述と同様に、前記人工芝２を埋設した時に、人工芝２の先端が円周面の表面から数mm露出するように形成する。
なお、円周面の表面から数mm露出した人工芝２の上下端を切断して円弧面となるようにしても良い。
円周面上の溝６の位置は、手摺り１１の使用形態によって変化するが、一般に手を伸ばした状態で手摺り１１に掴まる場合が多いので、手摺り１１から片手分離れた位置に人が立つため溝６はほぼ真横か少し上に形成すると良い。
【図面の簡単な説明】
【００１１】
【図１】本考案の第一実施例の段差スロープの斜視図である。
【図２】本考案の第一実施例の段差スロープの使用状態の断面図である。
【図３】本考案の第二実施例の踏み台の斜視図である。
【図４】本考案の第三実施例の手摺りの断面図である。
【図５】従来の段差スロープの斜視図である。
【符号の説明】
【００１２】
１  段差スロープ
２  人工芝
３  垂直面
４  傾斜面
５  水平面
６  溝
７  床板
８  敷居
９  踏み台
１０  踏み板
１１  手摺り
１２  手摺り立て子
１３  床面
【図１】
0003113335.tif 000003
【図２】
0003113335.tif 000004
【図３】
0003113335.tif 000005
【図４】
0003113335.tif 000006
【図５】
0003113335.tif 000007
【手続補正書】
【提出日】平成17年4月26日(2005.4.26)
【手続補正２】
【補正対象書類名】実用新案登録請求の範囲
【補正対象項目名】全文
【補正方法】変更
【補正の内容】
【実用新案登録請求の範囲】
【請求項１】
家屋内の、敷居の高さに相当する高さで、敷居方向に沿った垂直面と、前記垂直面頂部から床板へ敷居から遠ざかる方向へ緩やかに傾斜した傾斜面と、前記垂直面と前記傾斜面とを連結する水平面とからなる断面垂直三角形をなした段差スロープにおいて、前記傾斜面には敷居方向に平行に沿った所定幅、所定長さで細長溝を複数個設け、該細長溝に前記傾斜面表面に数mm露出するように人工芝を埋設したことを特徴とする段差スロープ。
【請求項２】
家屋内の、上下２段の踏み板を備えたボックス状又は階段状をなした踏み台において、前記踏み板には左右方向に平行に沿った所定幅、所定長さで細長溝を複数個設け、該細長溝に前記踏み板表面に数mm露出するように人工芝を埋設したことを特徴とする踏み台。
【請求項３】
家屋内の、長尺の円棒状をなした手摺りおいて、該手摺りの円周面に軸線方向に沿ってほぼ真横か少し上に所定幅、所定長さで細長溝を１個又は２個形成し、該細長溝に前記手摺り表面に数mm露出するように人工芝を埋設したことを特徴とする手摺り。
【手続補正書】
【提出日】平成17年6月16日(2005.6.16)
【手続補正２】
【補正対象書類名】実用新案登録請求の範囲
【補正対象項目名】全文
【補正方法】変更
【補正の内容】
【実用新案登録請求の範囲】
【請求項１】
家屋内の、敷居の高さに相当する高さで、敷居方向に沿った垂直面と、前記垂直面頂部から床板へ敷居から遠ざかる方向へ緩やかに傾斜した傾斜面と、前記垂直面と前記傾斜面とを連結する水平面とからなる断面垂直三角形をなした段差スロープにおいて、前記傾斜面には敷居方向に平行に沿った所定幅、所定長さで細長溝を複数個設け、該細長溝に前記傾斜面表面に数mm露出するように人工芝を埋設したことを特徴とする段差スロープ。
【請求項２】
家屋内の、上下２段の踏み板を備えたボックス状又は階段状をなした踏み台において、前記踏み板には左右方向に平行に沿った所定幅、所定長さで細長溝を複数個設け、該細長溝に前記踏み板表面に数mm露出するように人工芝を埋設したことを特徴とする踏み台。
【請求項３】
家屋内の、長尺の円棒状をなした手摺りおいて、該手摺りの円周面に軸線方向に沿ってほぼ真横か少し上に所定幅、所定長さで細長溝を１個又は２個形成し、該細長溝に前記手摺り表面に数mm露出するように人工芝を埋設したことを特徴とする手摺り。